【手続補正書】
【提出日】平成24年10月1日(2012.10.1)
【手続補正１】
【補正対象書類名】特許請求の範囲
【補正対象項目名】全文
【補正方法】変更
【補正の内容】
【特許請求の範囲】
【請求項１】
（ａ）駆動電圧を生成するための複数の駆動セルであってそれぞれが第１のイオン濃度の希釈液を収容するための希釈液室と、前記第１のイオン濃度より高い第２のイオン濃度の濃縮液を収容するための濃縮液室と、前記希釈液及び濃縮液の両室との間で共有された境界を形成しまた該両室とイオン連通する、陽イオン又は陰イオンのうちの一方の交換膜と、各駆動セル及びその隣接する駆動セルとの間で共有された境界を形成しまた該両駆動セルとイオン連通する、陽イオン又は陰イオンのうちの他方の交換膜とを含む複数の駆動セルと、
（ｂ）生産物室陰イオン交換膜及び生産物室陽イオン交換膜と、
（ｃ）脱塩される塩水を収容する生産物室であって一側で前記生産物室陰イオン交換膜に接し該イオン交換膜とイオン連通し、また他側で前記生産物陽イオン交換膜に接し該イオン交換膜とイオン連通する前記生産物室陰イオン又は陽イオンの交換膜を経て前記複数の駆動セルとイオン連通する生産物室と、
（ｄ）希釈液を希釈液室へ及び該希釈液室から移し脱塩されるべき前記塩水を前記生産物室へ及び脱塩された塩水を前記生産物室からそれぞれ移すように構成された希釈液、濃縮液及び生産物のマニホルドから成るマニホルドアセンブリと、
（ｅ）前記生産物室陰イオン交換膜及び生産物室陽イオン交換膜を通して、それぞれ前記生産物室とそれぞれイオン連通する陰イオン解放室及び陽イオン解放室と、
（ｆ）電解質を収容するためのアノード及びカソードの電解質室と、
（ｇ）アノード及びカソードのスタック端イオン交換膜であって該アノード及びカソードのスタック端の両イオン交換膜を通して前記アノード及びカソードの両電解質室は前記複数の駆動セル及び生産物室とそれぞれイオン連通する、アノード及びカソードのスタック端イオン交換膜と、
（ｈ）アノード及びカソードであって、アノード電解質室は一側で前記アノードスタック端イオン交換膜に接し、該イオン交換膜とイオン連通し、また他側で前記アノードに接し、該アノードと導電状態にあり、前記カソード電解質室は一側で前記カソードスタック端イオン交換膜に接し、該イオン交換膜とイオン連通し、また他側で前記カソードに接し、該カソードと導電状態にある、アノード及びカソードとを含む、塩水脱塩システムのための塩水脱塩装置。
【請求項２】
さらに、前記希釈液室、濃縮液室及び生産物室のそれぞれを取り囲む希釈液室ガスケット、濃縮液室ガスケット及び生産物室ガスケットを含み、前記希釈液室、濃縮液室及び生産物室の各ガスケットは、陽イオン及び陰イオンの両交換膜の分離を維持するためのスペーサをそれぞれに収容する、請求項１に記載の装置。
【請求項３】
前記希釈液、濃縮液及び生産物のマニホルドは、希釈液供給導管及び希釈液出口導管と、濃縮液供給導管及び濃縮液出口導管と、生産物原料供給導管及び生産物材料出口導管とから成り、該各導管が、希釈液、濃縮液及び生産物の前記各ガスケットを通って伸び、
（ａ）希釈液のマニホルドは、さらに、前記希釈液供給導管を前記希釈液室に流体的に結合する前記希釈液室ガスケットの入口ノッチと、前記希釈液出口導管を前記希釈液室に流体的に結合する前記希釈液室ガスケットの出口ノッチとを含み、
（ｂ）前記濃縮液のマニホルドは、さらに、前記濃縮液供給導管を前記濃縮液室に流体的に結合する前記濃縮液室ガスケットの入口ノッチと、前記濃縮液出口導管を前記濃縮液室に流体的に結合する前記濃縮液室ガスケットの出口ノッチとを含み、また
（ｃ）前記生産物マニホルドは、さらに、前記生産物原料供給導管を前記生産物室に流体的に結合する前記生産物室ガスケットの入口ノッチと、前記生産物出口導管を前記生産物室に流体的に結合する前記生産物室ガスケットの出口ノッチとを含む、請求項２に記載の装置。
【請求項４】
前記複数の駆動セル、生産物室、陰イオン解放室及び陽イオン解放室は、リング形状に配列されている、請求項１に記載の装置。
【請求項５】
前記複数の駆動セル、生産物室、陰イオン解放室及び陽イオン解放室は、螺旋形状に巻かれている、請求項１に記載の装置。
【請求項６】
さらに、前記アノード及びカソード間で電気的に結合された電圧源を含む、請求項１に記載の装置。
【請求項７】
さらに、前記アノード及びカソード間で電気的に結合された電気負荷を含む、請求項１に記載の装置。
【請求項８】
前記アノード及びカソードはそれぞれ被覆膜を有する基板から成り、該基板は、チタン、ニオブ、タンタル、イリジウム、パラジウム、スチール、ステンレススチール、ニッケル及びグラファイトから成るグループから選ばれた素材で構成され、前記被覆膜は、プラチナ、ルテニウム、イリジウムと、プラチナ、ルテニウム及びイリジウムを含む合金とから成るグループから選ばれた素材から成る、請求項１に記載の装置。
【請求項９】
さらに、
（ａ）前記アノード電解質室を前記カソード電解質室に流体的に結合する電解質室流体導管と、
（ｂ）前記アノード及びカソードの電解質室の一方で形成された電気化学反応の副産物を前記電解質室の他方で反応物として使うことができるように、前記アノード及びカソードの電解質室の一方からその他方へ電解質を汲み上げるように構成された前記電解質室流体導管と流体的に連通するポンプとを含む、請求項１に記載の装置。
【請求項１０】
前記アノード又はカソードの一方で生産されるガスが該アノード又はカソードの他方に循環することができるように、前記アノード及びカソードは、互いとガス連通するガス拡散電極である、請求項９に記載の装置。
【請求項１１】
さらに、
（ａ）電解質を収容するための第１及び第２の電解質室と、
（ｂ）第１及び第２のイオン交換膜であって該第１及び第２のイオン交換膜を通して前記第１及び第２の電解質室は、前記複数の駆動セル及び生産物室とイオン連通する、第１及び第２のイオン交換膜と、
（ｃ）多孔性の第１及び第２の端板であって前記第１の電解質室は、一側で前記多孔性の第１の端板に接し該端板とイオン連通し、また他側で前記第１のイオン交換膜に接し該イオン交換膜とイオン連通し、前記第２の電解質室は、一側で前記多孔性の第２の端板に接し該端板とイオン連通し、また他側で前記第２のイオン交換膜に接し該イオン交換膜とイオン連通する、多孔性の第１及び第２の端板を含み、前記装置は、該装置が導電性バスに沈められると、イオン電流が前記多孔性の第１及び第２の端板を通して前記第１及び第２の電解質室間を前記導電性バス内に流れるように、封止されている、請求項１に記載の装置。
【請求項１２】
さらに、
（ａ）電解質を収容するための第１及び第２の電解質室と、
（ｂ）第１及び第２のイオン交換膜であって該第１及び第２のイオン交換膜を通して前記第１及び第２の電解質室は、前記複数の駆動セル及び生産物室とイオン連通する、第１及び第２のイオン交換膜と、
（ｃ）第１及び第２の端板であって前記第１の電解質室は、一側で前記第１の端板に接し該端板とイオン連通し、また他側で前記第１のイオン交換膜に接し、前記第２の電解質室は、一側で前記多孔性の第２の端板に接し該端板とイオン連通し、また他側で前記第２のイオン交換膜に接する、第１及び第２の端板と、
（ｄ）前記第１の電解質室を前記第２の電解質室に流体的に結合する電解質室流体導管と、
（ｅ）前記第１及び第２の電解質室の一方からその他方に電解質を汲み上げるように構成された電解質室流体導管と流体的に連通するポンプとを含む、請求項１に記載の装置。
【請求項１３】
塩水を脱塩するシステムのための装置であって、
（ａ）第１のイオン濃度の希釈液、該第１のイオン濃度より高い第２のイオン濃度の濃縮液及び脱塩される塩水を受け入れるように構成されたスタックであって
（i）複数の駆動セルであってそれぞれが、希釈液／濃縮液室と、濃縮液／希釈液室と、前記希釈液／濃縮液室及び前記濃縮液／希釈液室との間で共有された境界を形成し該両者とイオン連通する、陽イオン又は陰イオンのうちの一方の交換膜と、各駆動セル及びその隣接する駆動セルとの間で共有された境界を形成し該両駆動セルとイオン連通する、陽イオン又は陰イオンのうちの他方の交換膜とを含む複数の駆動セルと、
（ii）生産物／希釈液室陰イオン交換膜及び生産物／希釈液室陽イオン交換膜と、
(iii)生産物／希釈液室であって一側で前記生産物／希釈液室陰イオン交換膜に接し該イオン交換膜とイオン連通し、また他側で前記生産物／希釈液室陽イオン交換膜に接し該イオン交換膜とイオン連通し、前記生産物／希釈液室陰イオン又は陽イオン交換膜を経てイオン連通する生産物／希釈液室と、
(iv)希釈液／生産物室陰イオン交換膜及び希釈液／生産物室陽イオン交換膜と、
(v) 希釈液／生産物室であって一側で前記希釈液／生産物室陰イオン交換膜に接し該イオン交換膜とイオン連通し、また他側で前記希釈液／生産物室陽イオン交換膜に接し該イオン交換膜とイオン連通し、前記希釈液／生産物室陰イオン又は陽イオンの両交換膜を経て前記駆動セルとイオン連通する、希釈液／生産物室とを含むスタックと、
（ｂ）前記装置が順極性で運転されているとき、希釈液を前記希釈液／濃縮液及び希釈液／生産物室へ及び該希釈液／濃縮液及び希釈液／生産物室から、濃縮液を前記濃縮液／希釈液室へ及び該濃縮液／希釈液室から、また脱塩されるべき前記塩水を前記生産物／希釈液室へ及び脱塩された塩水を前記生産物／希釈液室からそれぞれ移すように構成され、また前記装置が逆極性で運転されているとき、希釈液を前記濃縮液／希釈液及び生産物／希釈液室へ及び該濃縮液／希釈液及び生産物／希釈液室から、濃縮液を前記希釈液／濃縮液へ及び該希釈液／濃縮液から、また脱塩されるべき前記塩水を前記希釈液／生産物室へ及び脱塩された塩水を前記希釈液／生産物室からそれぞれ移すように構成された希釈液／濃縮液、濃縮液／希釈液、生産物／希釈液、及び希釈液／生産物のマニホルドから成るマニホルドアセンブリとを含む、装置。
【請求項１４】
さらに、前記希釈液／濃縮液室、前記濃縮液／希釈液室、前記生産物／希釈液室及び前記希釈液／生産物室のそれぞれを取り囲む希釈液／濃縮液室ガスケット、濃縮液／希釈液室ガスケット、生産物／希釈液室ガスケットを含み、前記希釈液／濃縮液室、濃縮液／希釈液室、前記生産物／希釈液室の各ガスケットは陽イオン及び陰イオンの両交換膜の分離を維持するためのスペーサをそれぞれに収容する、請求項１３に記載の装置。
【請求項１５】
前記希釈液／濃縮液、濃縮液／希釈液、生産物／希釈液、及び希釈液／生産物のマニホルドは、それぞれ希釈液／濃縮液供給導管及び希釈液／濃縮液出口導管と、濃縮液／希釈液供給導管及び濃縮液／希釈液出口導管と、生産物／希釈液供給導管及び生産物／希釈液出口導管と、希釈液／生産物供給導管及び希釈液／生産物出口導管とから成り、該各導管が、前記希釈液／濃縮液、濃縮液／希釈液、生産物／希釈液及び希釈液／生産物の前記各ガスケットを通って伸び、
（ａ）希釈液／濃縮液のマニホルドは、さらに、前記希釈液／濃縮液供給導管を前記希釈液／濃縮液室に流体的に結合する前記希釈液室ガスケットの入口ノッチと、前記希釈液／濃縮液出口導管を前記希釈液／濃縮液室に流体的に結合する前記希釈液／濃縮液室ガスケットの出口ノッチとを含み、
（ｂ）前記濃縮液／希釈液のマニホルドは、さらに、前記濃縮液／希釈液供給導管を前記濃縮液／希釈液室に流体的に結合する前記濃縮液／希釈液室ガスケットの入口ノッチと、前記濃縮液／希釈液出口導管を前記濃縮液／希釈液室に流体的に結合する前記濃縮液／希釈液室ガスケットの出口ノッチとを含み、
（ｃ）前記生産物／希釈液マニホルドは、さらに、前記生産物／希釈液供給導管を前記生産物／希釈液室に流体的に結合する前記生産物室ガスケットの入口ノッチと、前記生産物／希釈液出口導管を前記生産物／希釈液室に流体的に結合する前記生産物／希釈液室ガスケットの出口ノッチとを含み、また
（ｄ）前記希釈液／生産物マニホルドは、さらに、前記希釈液／生産物供給導管を前記希釈液／生産物室に流体的に結合する前記希釈液／生産物室ガスケットの入口ノッチと、前記希釈液／生産物出口導管を前記希釈液／生産物室に流体的に結合する前記希釈液／生産物室ガスケットの出口ノッチとを含む、請求項１４に記載の装置。
【請求項１６】
さらに、
（ａ）電解質を収容するための第１及び第２の電解質室と、
（ｂ）第１及び第２のスタック端イオン交換膜であって前記第１及び第２の電解質室は前記第１及び第２のイオン交換膜を通して前記希釈液／濃縮液、濃縮液／希釈液、生産物／希釈液及び希釈液／生産物の各室とそれぞれイオン連通する、第１及び第２のスタック端イオン交換膜と、
（ｃ）第１及び第２の電極であって、前記第１の電解質室は、一側で前記第１のスタック端イオン交換膜に接し該イオン交換膜とイオン連通し、また他側で前記第１の電極に接し該電極と電気的に連通し、前記第２の電解質室は、一側で前記第２のスタック端イオン交換膜に接し該イオン交換膜とイオン連通し、また他側で前記第２の電極に接し、該電極と電気的に連通する、第１及び第２の電極とを含む、請求項１５に記載の装置。
【請求項１７】
前記第１及び第２の電極はそれぞれ被覆膜を有する基板から成り、該基板は、チタン、ニオブ、タンタル、イリジウム、パラジウム、スチール、ステンレススチール、ニッケル及びグラファイトから成るグループから選ばれた素材で構成され、前記被覆膜は、プラチナ、ルテニウム、イリジウムと、プラチナ、ルテニウム及びイリジウムを含む合金とから成るグループから選ばれた素材から成る、請求項１６に記載の装置。
【請求項１８】
塩水を脱塩するためのプラントであって、
（ａ）請求項１から１２のいずれか一項に記載の装置を含む塩水脱塩システムと、
（ｂ）濃縮液を生成するために前記装置を出る前記希釈液から水を除去するように構成された第１の再凝縮器と
（ｃ）前記第１の凝縮器及び前記濃縮液室の両方と流体的に連通する前記濃縮液を入れるための濃縮液貯蔵所とを含む、塩水脱塩プラント。
【請求項１９】
さらに、
（ａ）脱塩されるべき前記塩水を入れるための、前記生産物室に流体的に連通する塩水貯蔵所と、
（ｂ）前記希釈液を入れるための、前記駆動セルに流体的に連通する希釈液貯蔵所と、
（ｃ）脱塩された塩水を蓄えるための、前記生産物室に流体的に連通する希釈液貯蔵所とを含む、請求項１８に記載のプラント。
【請求項２０】
さらに、前記塩水が前記塩水貯蔵所に入るに先立って脱塩されるべき前記塩水を処理するための、前記塩水貯蔵所に流体的に結合された前処理センターを含む、請求項１９に記載のプラント。
【請求項２１】
さらに、前記濃縮液貯蔵所及び前記装置を流体的に連通し、前記装置を出る前記濃縮液から水を除去するように構成された第２の再凝縮器を含む、請求項２０に記載のプラント。
【請求項２２】
前記前処理センターは、前記希釈液が前記希釈液貯蔵所に入るに先立って前記希釈液を処理するために前記希釈液貯蔵所に流体的に結合されている、請求項２０に記載のプラント。
【請求項２３】
前記第１及び第２の再凝縮器の一方又は双方は、蒸発性の池、蒸発性の噴水池、自然通気蒸発塔及び強制通気蒸発塔から成るグループから選ばれる、請求項２１に記載のプラント。
【請求項２４】
さらに、熱源からの熱を前記第１及び第２の再凝縮器の一方又は双方に移送するために、前記第１及び第２の再凝縮器一方又は双方に流体的に結合された熱交換器を含む、請求項２１に記載のプラント。
【請求項２５】
（i）第１のイオン濃度の希釈液を希釈液室を通って流すこと、
（ii）濃縮液室及び前記希釈液室は、駆動セルを形成し、陰イオン又は陽イオンが陽イオン及び陰イオンの交換膜の一方を通して前記濃縮液室から前記希釈液室に流れるように、前記一方の交換膜を共有し、前記第１のイオン濃度よりも高い第２のイオン濃度の濃縮液を前記濃縮液室を通って流すことによって、
（ａ）駆動電圧を生成すること、
（ｂ）前記駆動セルとイオン連通し脱塩されるべき前記塩水が流れる生産物室を横切る前記駆動電圧を含む充分な電圧であって、前記生産物室は、一側で生産物室陽イオン交換膜に接し該陽イオン交換膜とイオン連通し、他側で生産物室陰イオン交換膜に接し該陰イオン交換膜とイオン連通し、陽イオン及び陰イオンが前記生産物室陽イオン及び陰イオンの交換膜のそれぞれを通って前記塩水から移動するに充分な電圧を印加すること、及び
（ｃ）前記陰イオン及び陽イオンの交換膜への水垢の付着を防止するに十分な、前記駆動電圧を含む電圧の極性を切り換えることを含み、
前記生産物室を出る塩水は前記希釈液室を出る希釈液よりも低いイオン濃度を有する、塩水脱塩方法。
【請求項２６】
さらに、陰イオン及び陽イオンの解放室を通して脱塩される塩水のイオン濃度以上のイオン濃度を有する溶液を流すことを含み、前記陰イオン及び陽イオンの各解放室は、生産物室陰イオン交換膜及び生産物室陽イオン交換膜を経て前記生産物室とイオン連通する、請求項２５に記載の方法。
【請求項２７】
前記希釈液は、前記陰イオン及び陽イオンの各解放室を通って流れる前記溶液である、請求項２６に記載の方法。
【請求項２８】
前記希釈液及び脱塩される塩水は同じでものある、請求項２６に記載の方法。
【請求項２９】
前記希釈液及び前記濃縮液は塩水であり、前記濃縮液の塩濃度は前記希釈液の塩濃度より高い、請求項２６に記載の方法。
【請求項３０】
前記駆動電圧は脱塩電圧以上である、請求項２６に記載の方法。
【請求項３１】
アノード及びカソードの各電解質室を通して電解質を流すことをさらに含み、前記アノード電解質室は、一側でアノードスタック端イオン交換膜に接し、該イオン交換膜とイオン連通し、他側でアノードに接し該アノードと電気的に連通し、前記カソード電解質室は、一側でカソードスタック端イオン交換膜に接し、該イオン交換膜とイオン連通し、他側でカソードに接し該カソードと電気的に連通し、前記アノード及びカソードの各電解質は前記アノード及びカソードのスタック端イオン交換膜を経てそれぞれ前記生産物室にイオン的に連通し、前記アノード及びカソードは、電子が前記アノードからカソードに流れるように、互いに電気的に連通する、請求項２６に記載の方法。
【請求項３２】
前記希釈液及び濃縮液は、前記希釈液及び濃縮液の室をそれぞれ逆流方向に流れる、請求項２６に記載の方法。
【請求項３３】
さらに、
（ａ）前記駆動セルと直列にイオン連通し、一側で初期ステージ生産物室陰イオン交換膜に接し該陰イオン交換膜とイオン連通し、他側で初期ステージ生産物室陽イオン交換膜に接し該陽イオン交換膜とイオン連通しする初期脱塩ステージであって、前記初期ステージ生産物室は、前記脱塩電圧を超えて前記初期ステージ生産物室に電圧が印加されたとき陽イオン及び陰イオンが前記初期ステージ生産物室陽イオン及び陰イオン交換膜をそれぞれ通って前記塩水から移動するような脱塩電圧を有する初期脱塩ステージを通って脱塩する塩水を流すこと、
（ｂ）一側で引き続くステージの生産物室陽イオン交換膜に接し該陽イオン交換膜とイオン連通し、他側で引き続くステージ生産物室陽イオン交換膜に接し該陽イオン交換膜とイオン連通する引き続く脱塩ステージ生産物室を含む引き続く脱塩ステージであって前記引き続くステージの生産物室は、前記脱塩電圧を超えて前記引き続くステージ生産物室に電圧が印加されたとき陽イオン及び陰イオンが前記引き続くステージ生産物室陽イオン及び陰イオン交換膜をそれぞれ通って前記塩水から移動し、脱塩される前記塩水が前記初期ステージ及び引き続くステージ生産物室を通って流れるような脱塩電圧を有する引き続く脱塩ステージを通って脱塩される前記塩水を流すこと、及び
（ｃ）前記初期及び引き続くステージ生産物室の脱塩電圧の合計以上の駆動電圧を含む充分な電圧を前記初期及び引き続くステージ生産物室を横切って印加することを含む、請求項２６に記載の方法。
【請求項３４】
前記初期及び引き続くステージの生産物室の一方又は両方が複数の生産物室を含み、前記脱塩される塩水を前記初期及び引き続く脱塩ステージを通して流すことは、前記脱塩される塩水をいずれかのステージの前記複数の生産物室を通って平行に流すことを含む、請求項３３に記載の方法。
【請求項３５】
さらに、前記アノード及びカソード間に電気的に結合された電圧源を使用して前記アノード及びカソードを横切って外部電圧を印加することを含む、請求項３１に記載の方法。
【請求項３６】
さらに、前記駆動電圧が前記脱塩電圧より大きいとき、前記アノード及びカソード間に電気的に結合された電気負荷に電力を供給することを含む、請求項３１に記載の方法。
【請求項３７】
前記電解質は、ナトリウム、カルシウム、マグネシウム又はカリウムの陽イオンを含み、前記アノード及びカソードのイオン交換膜は、いずれも陽イオン交換膜である、請求項３１に記載の方法。
【請求項３８】
前記電解質は、塩素、硫酸塩又は臭素の陰イオンを含み、前記アノード及びカソードのイオン交換膜は、いずれも陰イオン交換膜である、請求項３１に記載の方法。
【請求項３９】
前記電解質は、Ｎａ２ＳＯ４、ＮａＣｌ、ＮａＯＨ、ＨＣｌ、Ｎａ３Ｆｅ（ＣＮ）６、Ｎａ２Ｓ４Ｏ６、Ｎａ２Ｓ２Ｏ３、Ｎａ４Ｆｅ（ＣＮ）６、Ｋ３Ｆｅ（ＣＮ）６、Ｋ４Ｆｅ（ＣＮ）６、Ｎａ２Ｓ２Ｏ３、ＮＨ４Ｃｌ、ＮＨ４、Ｎａ２Ｃｒ２Ｏ７、及びＣｒＣｌ３から成るグループから選ばれる、請求項３１に記載の方法。
【請求項４０】
さらに、前記アノード及びカソードの両電解質室の一方に形成される電気化学反応副産物が前記両電解質室の他方の反応物として使うことができるように、前記アノード及びカソードの両電解質室の前記一方からその前記他方へ電解質を汲み上げることを含む、請求項３１に記載の方法。
【請求項４１】
さらに、
（ａ）第１及び第２の電解質室であって、前記第１の電解質室は、一側で第１のイオン交換膜に接し該イオン交換膜とイオン連通し、他側で多孔性の第１の端板に接し該端板とイオン連通し、前記第２の電解質室は、一側で第２の交換膜に接し該交換膜とイオン連通し、他側で多孔性の第２の端板に接し該端板とイオン連通し、前記第１及び第２のイオン交換膜を経て前記生産物室とイオン的に連通する前記第１及び第２の電解質室を通って濃縮液を流すこと、及び
（ｂ）イオン電流が導電性バスと、多孔性の前記第１及び第２の端板との間で流れるように、多孔性の前記第１及び第２の端板を前記導電性バスに沈めることとを含む、請求項２６に記載の方法。
【請求項４２】
(i）第１のイオン濃度の希釈液を複数の駆動セルのそれぞれの希釈液室を通して流すこと、
(ii)陰イオン又は陽イオンが陽イオン及び陰イオンの交換膜の一方を通して濃縮液室から前記希釈液室に流れるように各駆動セルの前記濃縮液室及び前記希釈液室が前記一方の交換膜を共有し、前記第１のイオン濃度よりも高い第２のイオン濃度の濃縮液を前記濃縮液室を通って流すことによって、
（ａ）相互にイオン連通する前記複数の駆動セルを使用して駆動電圧を生成すること、
（ｂ）前記駆動セルとイオン連通し脱塩されるべき前記塩水が流れる生産物室を横切る前記駆動電圧であって、前記生産物室は、一側で生産物室陽イオン交換膜に接し該陽イオン交換膜とイオン連通し、他側で生産物室陰イオン交換膜に接し該陰イオン交換膜とイオン連通し、陽イオン及び陰イオンが前記生産物室陽イオン及び陰イオンの交換膜のそれぞれを通って前記塩水から移動するように前記生産物室の脱塩電圧を超える駆動電圧を印加すること、及び
（ｃ）前記陰イオン及び陽イオンの交換膜に水垢が付着することを防止するために前記駆動電圧の極性を切り換えることを含み、
前記生産物室を出る塩水が前記希釈液室を出る希釈液よりも低いイオン濃度を有する、塩水脱塩方法。
【請求項４３】
さらに、前記生産物室陰イオン交換膜及び生産物室陽イオン交換膜を経てそれぞれ前記生産物室とイオン連通する前記陰イオン及び陽イオンの両解放室を通って、脱塩される前記塩水以上のイオン濃度を有する溶液を流すことを含む、請求項４２に記載の方法。
【請求項４４】
前記希釈液及び脱塩される塩水は同じものである、請求項４２に記載の方法。
【請求項４５】
前記希釈液及び前記濃縮液は塩水であり、前記濃縮液の塩濃度は前記希釈液の塩濃度より高い、請求項４２に記載の方法。
【請求項４６】
アノード及びカソードの各電解質室を通して電解質を流すことをさらに含み、前記アノード電解質室は、一側でアノードスタック端イオン交換膜に接し、該イオン交換膜とイオン連通し、他側でアノードに接し該アノードと電気的に連通し、前記カソード電解質室は、一側でカソードスタック端イオン交換膜に接し、該イオン交換膜とイオン連通し、他側でカソードに接し該カソードと電気的に連通し、前記アノード及びカソードの各電解質は前記アノード及びカソードのスタック端イオン交換膜を経てそれぞれ前記生産物室にイオン的に連通し、前記アノード及びカソードは、電子が前記アノードからカソードに流れるように、互いに電気的に連通する、請求項４２に記載の方法。
【請求項４７】
前記希釈液は、前記陰イオン及び陽イオンの各解放室を通って流れる前記溶液である、請求項４２に記載の方法。
【請求項４８】
前記希釈液及び濃縮液は、前記希釈液及び濃縮液の室をそれぞれ逆流方向に流れる、請求項４２に記載の方法。